(57)【特許請求の範囲】
【請求項１】
シート状の感光材料を送る供給経路に配置された案内機構が、感光材料の側部を案内する溝部を有した左右一対の案内体と、この左右の案内体による案内幅を調節する幅調節手段とを備えて構成されると共に、この幅調節手段が、左右の案内体を夫々の溝部の底面で感光材料の両側部を挟み込む位置まで接近させた後に、予め設定された量だけ離間方向に移動させて案内幅を設定するよう構成されている感光材料の搬送装置であって、
前記供給経路のうち感光材料を湾曲させて送る部位に配置された案内機構が、感光材料を湾曲させて案内する湾曲案内部と感光材料を直線的に案内する直線案内部とを一体形成した左右一対の案内体で構成され、前記直線案内部における左右の案内体の夫々の溝部の底面が、感光材料の案内幅を前記湾曲案内部よりも拡大する方向に深く形成されている感光材料の搬送装置。
【請求項２】
前記幅調節手段が、前記左右の案内体を感光材料の幅方向に往復移動させるアクチュエータと、このアクチュエータの駆動によって左右の案内体の溝部の底面に感光材料が挟み込まれた際にアクチュエータから左右の案内体への駆動力の伝達を遮断するトルクリミッターと備えて構成されている請求項１記載の感光材料の搬送装置。
【請求項３】
前記感光材料を湾曲させて案内する部位の湾曲内側に大径ローラを配置し、湾曲外側に小径ローラを配置し、この大径ローラと小径ローラとで感光材料を面方向から挟み込む挟持状態と、挟み込みを解除する解除状態とに切換自在な搬送ローラを構成すると共に、前記大径ローラの外周面を前記感光材料を湾曲させて搬送する外径に設定し、前記アクチュエータによって左右の案内体を移動させる際には前記大径ローラを小径ローラから離間させる方向に移動させる解除状態に切換るよう制御順序が設定されている請求項２記載の感光材料の搬送装置。
【発明の詳細な説明】
【０００１】
【発明の属する技術分野】
本発明は、シート状の感光材料を送る供給経路に配置された案内機構が、感光材料の側部を案内する溝部を有した左右一対の案内体と、この左右の案内体による案内幅を調節する幅調節手段とを備えて構成されると共に、この幅調節手段が、左右の案内体を夫々の溝部の底面で感光材料の両側部を挟み込む位置まで接近させた後に、予め設定された量だけ離間方向に移動させて案内幅を設定するよう構成されている感光材料の搬送装置に関する。
【０００２】
【従来の技術】
上記のように構成された感光材料の搬送装置として特開平９‐２３５０５５号公報に示されるものが存在し、この従来の技術では、感光材料を案内するガイド（案内機構）がペーパマガジンからの感光材料を送る経路に沿って配置されると共に、このガイド（案内機構）が第１ガイド部材（案内体）と第２ガイド部材（案内体）と、これらの間隔を設定するスクリューシャフトとを備えて構成され、感光材料のガイド幅（案内幅）を設定する際にはガイドの位置に感光材料としての印画紙を送った状態で、パルスモータでスクリューシャフトを回転操作して第１ガイド部材と第２ガイド部材との間に感光材料を挟み込むと共に、この挟み込み時にはトルクリミッターによって第１ガイド部材と第２ガイド部材との移動を阻止し、この後に、パルスモータを予め決められた量だけ逆転させることで印画紙と第１ガイド部材と第２ガイド部材との間に僅かな隙間を形成するよう構成されている。
【０００３】
【発明が解決しようとする課題】
この従来の技術のように印画紙を挟み込む位置まで第１ガイド部材と第２ガイド部材を移動させ、この後に夫々の間隔を僅かに拡大する方向に移動させるものでは印画紙の幅の誤差の影響を受けることなく、その感光材料の幅に基づいて第１ガイド部材と第２ガイド部材との間隔を最適な値に設定できるものである。又、従来の技術には印画紙を湾曲して案内する部位において第１ガイド部材と第２ガイド部材とを接近作動させて印画紙を挟み込むことで、印画紙の腰の強さを利用して印画紙の案内幅を設定する有効性が記載されている。そこで、印画紙を湾曲させて搬送させる部位において印画紙を挟み込むことを考えるに、印画紙が湾曲した部位では前述のように腰の強さを利用できるものの、この湾曲部位に連なる直線部位に位置する印画紙は幅方向からの圧縮力に弱く、第１ガイド部材と第２ガイド部材とに印画紙を挟み込んだ際に、各ガイド部材の取付誤差や寸法誤差等により、湾曲部位で挟み込む以前に直線部位で印画紙を挟み込む状態に陥った場合には、印画紙を変形させたり歪ませ、この変形が湾曲部の印画紙の姿勢や形状に影響して腰の強さを半減したり、いびつな湾曲形状に変形することから必要とする精度の案内幅を設定できないこともあった。
【０００４】
本発明の目的は、感光材料を湾曲させて搬送させる部位に配置された案内機構の案内体の案内幅を精度高く設定し得る感光材料の搬送装置を合理的に構成する点にある。
【０００５】
【課題を解決するための手段】
本発明の第１の特徴（請求項１）は、シート状の感光材料を送る供給経路に配置された案内機構が感光材料の側部を案内する溝部を有した左右一対の案内体と、この左右の案内体による案内幅を調節する幅調節手段とを備えて構成されると共に、この幅調節手段が、左右の案内体を夫々の溝部の底面で感光材料の両側部を挟み込む位置まで接近させた後に、予め設定された量だけ離間方向に移動させて案内幅を設定するよう構成されている感光材料の搬送装置において、前記供給経路のうち感光材料を湾曲させて送る部位に配置された案内機構が、感光材料を湾曲させて案内する湾曲案内部と感光材料を直線的に案内する直線案内部とを一体形成した左右一対の案内体で構成され、前記直線案内部における左右の案内体の夫々の溝部の底面が、感光材料の案内幅を前記湾曲案内部よりも拡大する方向に深く形成されている点にあり、その作用、及び、効果は次の通りである。
【０００６】
本発明の第２の特徴（請求項２）は請求項１において、前記幅調節手段が、前記左右の案内体を感光材料の幅方向に往復移動させるアクチュエータと、このアクチュエータの駆動によって左右の案内体の溝部の底面に感光材料が挟み込まれた際にアクチュエータから左右の案内体への駆動力の伝達を遮断するトルクリミッターとを備えて構成されている点にあり、その作用、及び、効果は次の通りである。
【０００７】
本発明の第３の特徴（請求項３）は請求項２において、前記感光材料を湾曲させて案内する部位の湾曲内側に大径ローラを配置し、湾曲外側に小径ローラを配置し、この大径ローラと小径ローラとで感光材料を面方向から挟み込む挟持状態と、挟み込みを解除する解除状態とに切換自在な搬送ローラを構成すると共に、前記大径ローラの外周面を前記感光材料を湾曲させて搬送する外径に設定し、前記アクチュエータによって左右の案内体を移動させる際には前記大径ローラを小径ローラから離間させる方向に移動させる解除状態に切換るよう制御順序が設定されている点にあり、その作用、及び、効果は次の通りである。
【０００８】
〔作用〕
上記第１の特徴によると、感光材料の案内幅を設定するために左右の案内体で感光材料を挟み込んだ場合には、直線案内部の溝部での感光材料を挟み込みを回避しながら夫々の湾曲案内部の溝部の底面で感光材料を挟み込む形態となるので、直線案内部の溝部での挟み込みによる感光材料の変形に起因する悪影響を回避した状態で、湾曲状態の感光材料の腰の強さを有効に利用して左右の案内体の相対位置関係を設定できる。そして、この相対位置を基準として左右の案内体を設定量だけ離間方向に移動させることによって感光材料の両端と溝部の底面との間に必要とする間隙が形成した案内幅を設定し得るものとなる。
【０００９】
上記第２の特徴によると、アクチュエータの駆動力で左右の案内体の溝部の底面に感光材料を挟み込んだ場合には、トルクリミッターがアクチュエータから案内体への駆動力の伝達を遮断して案内体の移動を阻止する状態となる。そして、この状態に達した後には左右の案内体を設定量だけ離間させることで、感光材料の両端部と案内体の溝部との間に必要とする間隙が形成されるものとなる。
【００１０】
上記第３の特徴によると、案内幅を設定する際には搬送ローラを構成する大径ローラを小径ローラから離間させる方向に移動させることで感光材料の挟み込みが解除された状態での感光材料の幅方向へ自由移動が許されるので、一方の案内体の溝部の底面に感光材料の一方の側部だけが接触する不都合を回避して、左右の案内体の溝部の底面から感光材料の両側端に均等に圧力を作用させた状態で該感光材料を挟み込めるものとなり、その結果、感光材料の両端部と案内体の溝部との間に必要とする間隙が形成されるものとなる。又、この設定の後に感光材料を搬送する場合には、搬送ローラの挟み込みによって感光材料を良好に湾曲させ得るので案内体の溝部の内壁面に感光材料を強く接触させる不都合を解消して感光材料を円滑に搬送できるものとなる。
【００１１】
〔発明の効果〕
従って、感光材料を湾曲させて搬送させる部位に配置された案内機構の案内体の案内幅を精度高く設定して感光材料を良好に搬送し得る感光材料の搬送装置が合理的に構成されたのである。又、アクチュエータの駆動力で案内体を移動させるものでありながら感光材料の挟み込みを検出する圧力センサ等の複雑な検出系を備えずとも感光材料を適切に挟み込むものとなり、そして、ローラに挟み込んで感光材料を湾曲させて搬送するものでありながら案内幅を設定を精度高く設定し、案内幅の設定後には良好に感光材料を搬送し得るものとなった。
【００１２】
【発明の実施の形態】
以下、本発明の実施の形態を図面に基づいて説明する。
図１には、写真プリント装置の概略ブロック図が示され、この写真プリント装置ではハロゲンランプを有した白色光源１からの光線をフィルムキャリアＣに支持された写真フィルムとしての１３５サイズのネガフィルム２（ネガティブフィルム）に導き、このネガフィルム２のコマ画像を光学レンズ３で取出すと共に、揺動ミラー４を介してフィルムスキャナー部Ｓに導いてデジタル信号に光電変換する系を備えている。又、フィルムキャリアＣのネガフィルム２の搬送を制御し、揺動ミラー４を制御し、フィルムスキャナー部Ｓからの信号が入力するコントローラ５を備えている。このコントローラ５はペーパマガジン６Ｍに収められた印画紙６（シート状の感光材料の一例）を供給経路に沿って露光部に送出す印画紙供給部Ｆ（感光材料の搬送装置の一例）と、露光部で露光された印画紙６を現像処理する現像処理部Ｄとに制御信号を出力し、更に、各種処理情報が表示される情報が表示されるモニター７に制御信号を出力し、各種処理命令を入力するための操作卓８からの信号が入力する。
【００１３】
前記揺動ミラー４はネガフィルム２を透過した光源１から光ビームを導く副走査方向に揺動作動するよう構成され、前記フィルムスキャナ部Ｓは、光学レンズ３からの光ビームをプリズム（図示せず）で３方向に分岐し、夫々の光ビームを赤色、緑色、青色のフィルタ等で３原色に色分解し、このように色分解された画像情報を３つのＣＣＤラインセンサ（図示せず）で取り込むよう構成されている。尚、この３つのＣＣＤラインセンサは主走査方向に多数（例えば５０００個）のＣＣＤ素子が配置され、このＣＣＤラインセンサからの各画素信号は所定の時間の露光で電荷を蓄積させた後、サンプルアンドホールド回路（図示せず）を介して各画素信号が連続した画像信号として取出され、このように取出された信号は８ビットのデジタル信号の輝度情報に変換されてコントローラ５に取込まれるものとなっている。
【００１４】
図１〜図７に示すように、前記印画紙供給部Ｆは、装置上部に配置された前記ペーパマガジン６Ｍから下方に送られる印画紙６を水平方向に挟持搬送するよう第１モータＭ１で駆動される搬送ローラの一例としての大径ローラ１１と、一対の小径ローラ１２，１２とを備えた第１搬送機構Ｆ１（案内機構の一例）を備えると共に、印画紙６をプリントサイズに切断するよう互いに剪断位置に配置されカッターソレノイドＣＳで駆動されるカッター１３，１３と、カッター１３，１３で切断された印画紙６を水平方向に挟持搬送するよう第２モータＭ２で駆動される複数の搬送ローラ１４‥‥を備えた第２搬送機構Ｆ２（案内機構の一例）とを備えて成っている。又、前記露光部は、第２搬送機構Ｆ２からの印画紙６を負圧によって吸着状態で送るよう搬送モータＭＦで駆動される３つのプーリ１５，１５，１５と、これらに巻回する搬送ベルト１６と、この搬送ベルト１６に送られた印画紙６に負圧を作用させる吸引機構（図示せず）とを備えた吸着搬送系とを備えると共に、この吸着搬送系で露光位置にセットされた印画紙６に露光を行うよう移動モータＭＣで駆動されるタイミングプーリ１７，１７に巻回するタイミングベルト１８に連結したプリントヘッド１９とを備えて構成されている。そして、コントローラ５から第１モータＭ１、カッターソレノイドＣＳ、第２モータＭ２、搬送モータＭＦ、移動モータＭＣ、プリントヘッド１９夫々に対して制御信号を出力する系が形成されている。
【００１５】
尚、プリントヘッド１９としては、液晶シャッター方式、レーザー露光方式、ＣＲＴ方式などが知られているが、この装置では、主走査方向に３列に多数の開口を形成し、夫々の開口の列を赤色、緑色、青色夫々のフィルターで覆うと共に、内部に配置した蛍光管等の白色光源から夫々の開口へ光線の遮断と通過との切換を行う液晶式のシャッターを備えた液晶シャッターを用いたライン露光型が採用され移動モータＭＣの駆動によってプリントヘッド１９を主走査方向と直交する方向に移動させながら印画紙６に対して露光を行うよう構成されている。
【００１６】
そして、この写真プリント装置でプリントを行う際には、フィルムキャリアＣにネガフィルム２をセットし、プリントを行う指示を操作卓８から入力することで、ネガフィルム２のコマ画像が光学レンズ３から揺動ミラー４を介してＣＣＤラインセンサに導かれると共に、揺動ミラー４の揺動と同期してコマ画像が３原色に色分解された状態でＣＣＤラインセンサで光電変換して１ラインずつコントローラ５に取り込まれ、このように３原色に色分解された画像情報がコントローラ内のフレームメモリ（図示せず）に保存されるものとなっている。又、コントローラ５はペーパマガジン６Ｍからの印画紙６を第１搬送機構Ｆ１で所定量送ると共に、カッター１３，１３でプリントサイズに切断し、このように切断された印画紙６を第２搬送機構Ｆ２から搬送ベルト１６に送って、この搬送ベルト上に設定された露光位置まで送って停止させる。このように露光位置に印画紙６がセットされると、コントローラ５はフレームメモリの３原色の画像情報を１ラインずつ（主走査方向に沿った１ライン分のデータ）取り出しプリントヘッド１９を駆動しながら、該プリントヘッド１９を移動させることで露光を行うものとなっており、この露光が終了した印画紙６を現像処理部Ｄに送って現像処理を行うものとなっている。
【００１７】
以上の構成は従来からのデジタルプリンターと基本的に変わるところは無く、本発明の写真プリント装置は第１搬送機構Ｆ１と第２搬送機構Ｆ２で印画紙６を搬送する案内系に特徴を備えている。
【００１８】
つまり、第１搬送機構Ｆ１の小径ローラ１２，１２の支軸１２Ａ，１２Ａの両端が左右位置に配置された第１フレーム２１に遊転支承され、大径ローラ１１の支軸１１Ａの両端が第１フレーム２１に穿設された長孔２１Ａ，２１Ａによって小径ローラ１２，１２に対して接近及び離間方向に移動自在に支承され、この第１ローラ１１の支軸１１Ａ，１１Ａの両端を支持する移動フレーム２２を備えている。この移動フレーム２２に対して該大径ローラ１１を駆動する前記第１モータＭ１備えると共に、この移動フレーム２２の端部と第１フレーム２１との間にバネ２３，２３を備えて大径ローラ１１を小径ローラ１２，１２の側に圧接させるよう構成し、この移動フレーム２２を反小径ローラ側に移動させる解除ソレノイド２４が備えられている。又、大径ローラ１１と小径ローラ１２，１２とで搬送される印画紙６の湾曲した搬送経路の左右位置に対して、搬送経路に沿う姿勢に湾曲成形された断面形状「コ」字状となる案内体２５，２５が配置されている。
【００１９】
この左右の案内体２５、２５は、図１０、図１１、図１２に示すように、金属材や樹脂材で成る案内体２５の本体に対して２条の壁部２５Ｗ、２５Ｗを一体形成することで印画紙６の側部を案内する溝部Ｇが形成され、この案内体２５は印画紙６を湾曲させて案内する湾曲案内部２５Ｔと、印画紙６を直線的に案内する直線案内部２５Ｓとを一体形成して構成されている。又、左右の案内体２５、２５夫々の溝部Ｇ、Ｇのうち湾曲案内部２５Ｔの底面ＳＴより直線案内部２５Ｓの底面ＳＳが印画紙６の案内幅を拡大するよう深く形成されている。具体的には夫々の底面ＳＴ、ＳＳのレベル差Ｕは０．１〜０．３ｍｍ程度に設定されている。そして、図２〜図６に示すように、この左右の案内体２５、２５が左右の第１フレーム２１，２１に対し印画紙６の搬送方向に直交する姿勢のガイド杆２６に対してスライド移動自在に外嵌するパイプ材２７に連結支持されることで印画紙６の搬送方向に直交する方向に向けて移動自在に構成されると共に、第１フレーム２１に対し印画紙６の搬送方向に直交する姿勢で支持された操作軸３０の右ネジ部３０ａと左ネジ部３０ｂとに左右の案内体２５，２５に備えたナット３１，３１を螺合させることで、操作軸３０の回転によって左右の案内体２５が同時に接近する方向、あるいは、離間する方向に調節できるよう構成されている。尚、このようにネジ式に案内体２５，２５の案内幅を調節する系で幅調節手段Ｈが構成されている。
【００２０】
そして、この操作軸３０の一方の端部にトルクリミッター３２を介して入力ギヤ３３を備え、この入力ギヤ３３に咬合するピニオンギヤ３５を駆動するステッピングモータ型の調節モータＭＳ（アクチュエータの一例）を第１フレーム２１に備え、更に、この第１搬送機構Ｆ１の搬送終端部に印画紙６が感光しない波長域で低い照度の光線を送り出す光源３４Ａと、この光源３４Ａからの光線を受ける受光素子３４Ｂとを配置して光線が遮断されることで印画紙６を検出する構造の存否センサ３４を備えている。
【００２１】
第２搬送機構Ｆ２の複数の搬送ローラ１４‥‥のうち搬送経路の下側に配置されたものの支軸１４Ａの両端を左右位置に配置された第２フレーム３７，３７に遊転支承し、これに対向する上側に配置されたものの支軸１４Ａの両端を左右位置の第２フレーム３７，３７の長孔３７Ａ，３７Ａに対して上下移動自在に支持してあり、更に、この支軸１４Ａの両端を下方に付勢するバネ３８を備え、下側の搬送ローラ１４の支軸１４Ａ夫々の軸端に備えたタイミングプーリ３９にタイミングベルト４０を巻回すると共に、第２モータＭ２の出力軸に備えたタイミングプーリ４１でタイミングベルトを駆動する系を備えている。又、この第２搬送機構Ｆ２では上下の搬送ローラ１４，１４で印画紙６を直線的に水平方向に送る搬送経路に沿って断面形状「コ」字状のレール状となる案内体２５，２５が配置されている。
【００２２】
この左右の案内体２５，２５にも直線状の底面が形成され溝部が形成されており、後述するように印画紙６の案内幅を設定した場合には、この底面が前記湾曲案内部２５Ｔの底面ＳＴの案内幅と一致する案内幅となるよう相対関係が設定されている。そして、この案内体２５、２５は左右の第２フレーム３７に対し印画紙６の搬送方向に直交する姿勢のガイド杆２６に対してスライド移動自在に外嵌するパイプ材２７に連結支持されることで印画紙６の搬送方向に向けて移動自在に構成されると共に、第２フレーム３７に対して印画紙６の搬送方向に直交する姿勢で支持された操作軸３０の右ネジ部３０ａと左ネジ部３０ｂとに左右の案内体２５，２５に備えたナット３１，３１を螺合させることで、操作軸３０の回転によって左右の案内体２５，２５が同時に接近する方向、あるいは、離間する方向に調節できるよう構成されている。尚、このようにネジ式に案内体２５，２５の案内幅を調節する系で幅調節手段Ｈが構成されている。そして、前記第１搬送機構Ｆ１の操作軸３０の軸端に備えたタイミングプーリ４３と、この第２搬送機構Ｆ２の操作軸３０の軸端に備えたタイミングプーリ４４とに亘ってタイミングベルト４５を巻回することで、夫々の案内体２５，２５の案内幅を連係して等しい量だけ調節する連係手段Ｊが構成されている。
【００２３】
この写真プリント装置では、夫々異なる幅の印画紙６を収めたペーパマガジン６Ｍを装置にセットしてプリントを行えるものであり、幅の異なる印画紙６をセットする際、あるいは、新たに印画紙６をセットする際には案内体２５，２５の幅を以下の処理で適正にセットするものとなっている。つまり、案内体２５，２５の幅を設定する際には、使用する印画紙６の幅の値（規格値）を操作卓８から入力して実行することで、図９のフローチャートに示すように、調節モータＭＳの作動で案内体２５，２５の案内幅を印画紙６より充分に広い幅い値の初期値にセットすると共に、第１モータＭ１を駆動して印画紙６の搬送を開始し、この搬送によって存否センサ３４が印画紙６を検出したタイミングで第１モータＭ１の駆動を停止する（＃１０１〜＃１０４ステップ）。次に、解除ソレノイド２４の駆動で大径ローラ１１の外周を小径ローラ１２，１２の外周から離間する位置まで移動操作（解除状態に設定）し、この状態で印画紙６の幅より狭い幅を目標として案内体２５，２５の案内幅を狭くする方向に調節モータＭＳの作動を開始し、この作動によって案内体２５，２５で図８（イ）に示す如く、印画紙６を挟み込んだ状態に達すると操作軸３０からの負荷によってトルクリミッター３２が操作軸３０の回転を阻止した状態で調節モータＭＳの作動が許されるものとなる。
【００２４】
この状態においては、図１２に示すように、左右の案内体２５、２５の湾曲案内部２５Ｔの底面ＳＴが印画紙６の両側部を挟み込む状態となっており、直線案内部２５Ｓとの底面ＳＳと印画紙６の側端とには前記レベル差Ｕに等しい隙間が形成される結果、直線案内部２５Ｓの底面ＳＳからの圧力で印画紙６が変形する不都合を回避して、湾曲した印画紙６の腰の強さを有効に利用して案内体２５、２５同士の相対位置を決めるものとなっている。この後、調節モータＭＳの作動が停止すると、予め設定された量だけ調節モータＭＳを逆方向、すなわち、案内体２５，２５の間隔を拡大する方向に作動させて図８（ロ）に示す如く、印画紙６の左右両端と案内体２５，２５との間に必要とする間隙Ｖ，Ｖを形成し、この調節が終了すると解除ソレノイド２４の駆動を停止するものとなる（＃１０５〜＃１０８ステップ）。このように調節を行った後には第１搬送機構Ｆ１、第２搬送機構Ｆ２夫々の操作軸３０，３０同士が連係されているので、第１搬送機構Ｆ１の左右の案内体２５，２５の湾曲搬送部２５Ｔの領域の案内幅と第２搬送機構Ｆ２の左右の案内体２５，２５の案内幅とが等しく適正なものとなり、又、大径ローラ１１と小径ローラ１２，１２とで印画紙６を挟み込み（挟持状態に設定して）、これら大径ローラ１１と小径ローラ１２，１２とで印画紙６を搬送できる状態に設定するものとなっている。
【００２５】
このように本発明では、第１搬送機構Ｆ１と第２搬送機構Ｆ２との印画紙６の案内幅をセットする場合には、まず印画紙６を第１搬送機構Ｆ１の位置まで送り、次に、大径ローラ１１を小径ローラ１２，１２から離間させて印画紙６が左右方向に自由に移動できる状態にセットし、この状態で左右の案内体２５，２５の間隔を狭める方向に調節モータＭＳを作動させることで、左右の案内体２５，２５が湾曲姿勢で圧縮力に対して容易に変形しない状態の印画紙６を挟み込むものとなる。特に、この挟み込み状態では案内体２５の湾曲案内部２５Ｔの底面ＳＴ同士の間に印画紙６を挟み込み、直線案内部２５Ｓの底面ＳＳと印画紙６との間に隙間を形成するので印画紙６を歪ませることなく、印画紙６の実寸法に対応した間隔となる相対位置に案内体２５、２５をセットできるものとなっている。
【００２６】
又、トルクリミッター３２は印画紙６を挟み込んだ際の負荷の作用によって操作軸３０に対する動力の伝達を遮断する程度にトルクの値を設定してあり、左右の案内体２５，２５で印画紙６を挟み込みトルクリミッター３２が作動した時点で、この第１搬送機構Ｆ１の案内体２５，２５と、第２搬送機構Ｆ２の案内体２５，２５との夫々の案内幅を印画紙６の現実の幅として基準値に設定できるものとなっている。又、このように左右の案内体２５，２５で印画紙６を挟み込んだ際に印画紙６が左右方向に移動できるので大径ローラ１１と小径ローラ１２，１２とから印画紙６に力を作用させることなく印画紙６の搬送方向での中央位置を搬送経路の幅方向での中央位置に設定するものとなっている。そして、このように左右の案内体２５，２５が印画紙６の左右両側端に接触した状態を基準にして、左右の案内体２５，２５の案内幅を拡大する方向に作動させることで、第１搬送機構Ｆ１と第２搬送機構Ｆ２とにおいて、印画紙６の左右側端と案内体２５，２５との間に図８（ロ）に示す如く、間隙Ｖ，Ｖを形成して、第１搬送機構Ｆ１、第２搬送機構Ｆ２夫々の左右の案内体２５，２５の案内幅を印画紙６の実寸法に基づいた最適な値に設定できるものとなる。
【００２７】
〔別実施の形態〕
本発明は上記実施の形態以外に、左右の案内体２５、２５の一方の溝部Ｇにおいてのみ湾曲搬送部２５Ｔと直線案内部２５Ｓとの深さを異ならせるよう底面を形成することが可能であり、又、図１３、図１４に示すように、湾曲案内部２５Ｔから一方だけに直線案内部２５Ｓが形成された案内体２５に適用することも可能である。更に、例えば、ネガフィルムの画像を印画紙６に投影露光する構造の写真プリント装置に適用することが可能であり、３つ以上の案内機構の案内幅を備えた写真プリント装置に適用することも可能である。
【００２８】
又、案内体に圧力センサや距離センサを備えておき、案内体を案内幅を狭くする方向に作動させた際に、これらのセンサで案内体が印画紙を挟み込んだことを検出したタイミングで案内体の作動を停止させるよう制御形態を設定して実施することも可能であり、感光材料としてネガティブフィルムやポジティブフィルムを用いることも可能である。
【図面の簡単な説明】
【図１】写真プリント装置の制御系のブロック図
【図２】印画紙供給部の側面図
【図３】印画紙供給部の平面図
【図４】第１搬送機構の縦断面図
【図５】第２搬送機構の縦断面図
【図６】左右の案内体の支持構造を示す縦断面図
【図７】大径ローラの移動構造と、搬送ローラの支持構造とを示す概略側面図
【図８】案内体が印画紙を挟み込んだ状態と、案内体と印画紙との間に間隙が形成された状態とを示す縦断面図
【図９】ガイド幅設定ルーチンのフローチャート
【図１０】案内体の側面図
【図１１】案内体の湾曲案内部と直線案内部との断面図
【図１２】案内体に印画紙を挟み込んだ状態を示す断面図
【図１３】別実施の形態の案内体の側面図
【図１４】別実施の形態の案内体で印画紙を挟み込んだ状態を示す断面図
【符号の説明】
６          感光材料
１１，１２  ローラ
２５        案内体
２５Ｓ      直線案内部
２５Ｔ      湾曲案内部
３２        トルクリミッター
Ｇ          溝部
Ｈ          幅調節手段
ＭＳ        アクチュエータ
【図１】
0003712101.tif 000002
【図２】
0003712101.tif 000003
【図３】
0003712101.tif 000004
【図４】
0003712101.tif 000005
【図５】
0003712101.tif 000006
【図６】
0003712101.tif 000007
【図７】
0003712101.tif 000008
【図８】
0003712101.tif 000009
【図９】
0003712101.tif 000010
【図１０】
0003712101.tif 000011
【図１１】
0003712101.tif 000012
【図１２】
0003712101.tif 000013
【図１３】
0003712101.tif 000014
【図１４】
0003712101.tif 000015